(57)【要約】【課題】  容易に疲労回復、リフレッシュできる足踏み式の健康シューズを提案する。【解決手段】  気密性で弾性を有する素材の２重の包袋の構造をもち、その２重の包袋の中に流体を封入したインナーシューズ２と、そのインナーシューズ２を収納した外靴１とからなり、足踏み動作で、足首より下のインナーシューズ２の甲部２ａ、ヒール・グリップ２ｄの部分の流体の量を増減させて、踵の上下運動による流体の移動に伴う足１０全体への圧迫、開放の繰返しとふくらはぎの筋肉の伸縮によるポンプ効果で血液の循環が促されて血行が促進される。【選択図】      図２
2005058615.tif 000002
【特許請求の範囲】
【請求項１】
外靴の中にインナーシューズを装着した健康シューズであって、
前記インナーシューズが、気密性で弾性を有する素材の２重の包袋の構造をもち、該２重の包袋の間隙に流体を封入し、
足踏み動作によって前記外靴と足の間の前記インナーシューズの甲部の流体の量を増減させる
ことを特徴する健康シューズ。
【請求項２】
請求項1記載の健康シューズにおいて、
前記外靴の底を2重底とし、前記2重底の上面と底面の間に上下動自在とする弾性体設け、前記外靴の上面に第1の連通孔を設け、
前記インナーシューズの底の前記２重の包袋の外皮に第2の連通孔を設け、
前記第1の連通孔と前記第2の連通孔を合わせ流体が移動自在となるようにして前記インナーシューズを前記２重底の上面に気密に接合した
ことを特徴する健康シューズ。
【発明の詳細な説明】
【技術分野】
【０００１】
本発明は、外靴にインナーシューズを装着した健康シューズに関する。
【背景技術】
【０００２】
近年、エアーコンディショナなどの普及により、室内での生活環境の改善は目を見はるものがあるが、このためにかえって夏冬などでは室内外の温度差による体調不良、冷房など冷やし過ぎによる指先や足先などの四肢末端での冷えを訴える人が増大している。また、同一姿勢を長時間続ける例えば、パーソナルコンピュータでの事務作業などでの血流停滞による疲労蓄積、ストレスを訴える人が増大している。
さらに、長時間同じ姿勢で座席に座っていた乗客が到着直後に肺動脈血栓塞栓症で倒れる、いわゆるエコノミークラス症候群などもクローズアップされている。
これらの対策には、自らの血液の循環を促進させることが要点となるため、僅かの時間、スペースで血行を改善する器具や運動のノウハウなどが多く紹介されている。
【０００３】
従来から知られている器具としては、例えば、特許文献１、特許文献２に記載されているようなものがある。この特許文献１には空気圧で足をマッサージして血行を良くする健康器具が開示されている。この健康器具は、足踏み式ポンプとエアーサポーターをチューブでつなぎ、エアーサポーターに一定の圧力で開く弁を取り付けたものである。
このエアーサポーターはふくらはぎに装着され、足踏み式空気ポンプによって空気を送りふくらはぎを徐々に圧迫し、所定空気圧になると自動的に弁が開いて空気が抜けふくらはぎを開放する。そして、足踏み動作をし続けることで、エアーサポーターによるふくらはぎでの圧迫・開放と足踏み動作による筋肉運動で血行を改善しエコノミークラス症候群を予防するものである。
【０００４】
また、特許文献２には、飛行機内で長時間狭い座席に座っている乗客が用いる運動具が開示されている。この運動具は、中空成形樹脂製の筒体２個をやや離して立設し、各筒体上面を足踏み面、周側面を蛇腹状部とし、筒体間は通気路で連通される。
この運動具では、空気を注入・密閉してから２つの足踏み面を交互に踏み、空気の圧縮性による弾性を利用して左右の足を踏み換えてそれぞれの筒体にシーソーのような動作を行わせて、足踏みに伴うふくらはぎの運動でエコノミークラス症候群を予防するものである
【特許文献１】特開２００１−２５２３１８号公報（２頁、図１）
【特許文献２】特開２００２−２５３６９７号公報（２頁、図１）
【発明の開示】
【発明が解決しようとする課題】
【０００５】
しかしながら、特許文献１の健康器具では、ふくらはぎにエアーサポーターを装着し空気圧でふくらはぎを周りから締め込むため、動脈と静脈を同時に圧迫・開放し、ふくらはぎから下の全血流を徐々に遮断し、一気に解放することになるため足への負担が大きくなる虞がある。また、特許文献２の足踏み運動具では、足踏み動作のみであり血行改善に対する効果は限定的となる不都合があった。
【０００６】
本発明は、かかる点に鑑み、さほど足に負担とならずに血行を改善できる健康シューズを提供することを目的とする。
【課題を解決するための手段】
【０００７】
本発明の健康シューズは、外靴の中にインナーシューズを装着した健康シューズであって、このインナーシューズが、気密性で弾性を有する素材の２重の包袋の構造をもち、その２重の包袋の間隙に流体を封入し、足踏み動作によってこの外靴と足の間のこのインナーシューズの甲部の流体の量を増減させるものである。
【０００８】
このように構成したので本発明の健康シューズによれば、注入された流体は漏れることなく封入され、このインナーシューズは、足と外靴の間に配設されるので、踏み込み動作で足の裏となる底部の領域の流体の容積を減少させると、この領域にあった流体が、インナーシューズの底部以外の甲部などの部分を膨らませ足を圧迫し、また、踏み込みを止めるとインナーシューズを膨らませていた流体が底部の領域に戻り足を流体の圧迫から開放するため、足踏み運動によって足先の血管の圧迫・開放が繰り返されて静脈血管の弁のポンプ効果で血液の循環が促されて血行が促進される。
【発明の効果】
【０００９】
本発明の健康シューズによれば、足踏み運動によって足先の血管の圧迫・開放が繰り返されて静脈血管の弁のポンプ効果で血液の循環が促されて血行がよくなり、簡便に疲労回復、リフレッシュができる。
【発明を実施するための最良の形態】
【００１０】
以下、本発明健康シューズの実施の形態の例を図１〜図５を参照して説明する。
【００１１】
図１，図２において、２はインナーシューズを示し、このインナーシューズ２は、図４に示すように、２重の包袋構造をもち外形が足首程度までの靴下状をなし、気密性で弾性を有する素材の伸縮性のゴム材などで成形したものである。そして、このインナーシューズ２の甲部２ａの内皮２ａ-1と外皮２ａ-2の間、ヒール・グリップ２ｄの内皮２ｄ-1と外皮２ｄ-2の間、及び底部２ｂの内皮２ｂ-1と外皮２ｂ-2の間は一体の空間になっている。また、このインナーシューズ２の底部２ｂの内皮２ｂ-1と外皮２ｂ-2の間には底部の領域２ｅを設け、外皮２ｂ-2には連通孔２ｆを設ける。また、インナーシューズ２の前面の甲部２ａの上部に、流路３が設けられる。
【００１２】
流路３は、図４に示すように、このインナーシューズ２に空気等の流体を注入するための、一端がインナーシューズ２の壁に埋設された注入路であり、この流路３にはタンク４を接続する。
タンク４は、図４に示すように、柔軟なゴム材で形成された気密性のある流体溜りで、足の上下運動でインナーシューズ２から押し出された余分な流体を一時的に蓄えるものである。そして、タンク４自体が膨張収縮自在に容積を変え、封入された流体の圧力を調整する。このタンク４にバルブ５を接続する。
【００１３】
バルブ５は、図４に示すように、ニードルをもつ構造などの流量調節ができる弁であり、封入される流体量の微調整と密封に用いる。そして、バルブ５に流体注入用の配管（図示せず）を接続するための流体導入部品６を取り付ける。
【００１４】
図１，図２において、１は外靴を示し、この外靴１は上部（アッパー）が、プラスチック、皮革、合成皮革あるいは要部をこれらで補強し他を合成繊維などで構成したものであり、柔軟性はあっても伸縮性の少ない構造とされる。そして、足１０との間にインナーシューズ２が入っても少し余裕をもつように大きめに形成される。また、外靴１の底１ｂは、合成樹脂などで２重底構造で形成され、２重底の上面１ｂ-1に連通孔１ｆも一緒に形成され、その後上部と一体に接合あるいは縫合される。
【００１５】
図２，図３に示すように、ヒール・グリップ１ｄの下端となる２重底の上面１ｂ-1から底面１ｂ-2にかけての踵（かかと）の領域にはプリーツ（折り襞）１ｅを設け、また外靴１の２重底の踵付近の上面１ｂ-1と底面１ｂ-2の間には圧縮コイルばねなどの弾性体８を設けて踵が上下できるようにして、いわゆるふいご構造としている。
【００１６】
図２に示すように、弾性体８を組み込んだ外靴１にインナーシューズ２を装着し、このとき外靴１の２重底の上面１ｂ-2の連通孔１ｆとインナーシューズ２の底面２ｂ-2の連通孔２ｆの位置を合わせてから、外靴１の上面１ｂ-2とインナーシューズの底面２ｂ-2を接着剤などで空気などが漏れないように接合する。
【００１７】
図２を参照して、本例の健康シューズの使用例を説明する。
先ず、流体導入部品６にたけのこ形状の配管継手を用い、給気用の管にゴムチューブなどを用いてこのチューブの一端をたけのこ形状の配管継手に捻じ込み、他端を空気ポンプなどに接続する。そして、バルブ５を全開とする。
【００１８】
次に、インナーシューズ２の甲部の内皮２ａ-1を足爪などで直接傷つけないように靴下１１などを履いた足１０をインナーシューズ２に入れる。そして、足１０の踵を浮かして（弾性体を押し下げないようにして）外靴１の底部の領域１ｇの内容積が大きくなるようにした状態で、空気ポンプなどで空気をゴムチューブを介して供給しインナーシューズ２が足１０を適度に圧迫するまで膨らませる。
【００１９】
次に、バルブ５を閉じてからゴムチューブを外し、踵が上がっているときにタンク４が少し膨れていて、足１０の踵が下がっているときにタンク４がさらに膨れるようにしてインナーシューズ２の空気圧を調整する。
インナーシューズ２の内皮２ａ-1、２ｂ-1、２ｄ-1による足１０への圧迫感が大きいときは、バルブ５を僅か開けてインナーシューズ２の空気を抜いて圧力を微調整する。
【００２０】
このように組み込んだ健康シューズでは、図５に示すように、足１０を踏み下げると、外靴１の底部の領域１ｇの容積が減り、ここから押し出された空気が連通孔１ｆ，２ｆを通って、インナーシューズ２の底の領域２ｅに流入し、インナーシューズ２の甲部２ａとヒール・グリップ２ｄの部分での膨れと、タンク４の膨れと、気体圧力の上昇を生じる。そして、足首から下の足１０全体を圧迫するとともに血液を足から押し出す。
このとき、ばねの付勢力に抗して圧縮コイルばね８を押し下げることになり、ふくらはぎの筋肉を使うので静脈血管の弁によるポンプ効果で血流が活発になる。また、ふくらはぎ自体は何ら圧迫されていないので動脈、静脈の機能に制限を加えることがない。  
【００２１】
また、足１０の踏み下げ動作を止めると、圧縮コイルばね８は外靴１の踵付近の２重底の上面１ｂ-1を押し上げ、図２に示す元の位置に戻る。このとき、外靴１の底部の領域１ｇの容積が増えるため、連通孔２ｆ，１ｆを通って、この領域１ｇに空気が流入して、インナーシューズ２の甲部２ａ、ヒール・グリップ２ｄの部分とタンク４の膨らみの減少と、封入された空気の気体圧力が減少する。そして、足首付近から下の足１０全体への圧力が低減し圧迫から開放されると共に血液が流入する。
そして、踵を上げる動作でもふくらはぎの筋肉を使うので静脈血管の弁によるポンプ効果で血流が活発になる。また、このときも、ふくらはぎ自体は何ら圧迫されていないので動脈、静脈の機能に制限を加えることがない。また、左右独立なので室内程度であれば歩行するのにさほど支障はない。
【００２２】
上述例の健康シューズによれば、注入された流体は漏れることなくインナーシューズ２に封入され、このインナーシューズ２は、足首付近から下の足１０と外靴１の間に配設される。そして、足踏み動作で外靴１の底部の領域１ｇで流体の容積を減少させると、流体は気密封入されているので、外靴１の底部の領域１ｇの流体が上部の足首付近までの足全体を圧迫する。そして、踏み込みを止めて元に戻すと、外靴１の底部の領域１ｇの容積が増えて足全体を流体の圧迫から開放する。
このように足踏み運動によって足先の血管の圧迫・開放が繰り返され、同時にふくらはぎの筋肉を使うので静脈血管の弁のポンプ効果で血液の循環が促され、疲労回復とリフレッシュができる。
【００２３】
本発明の健康シューズの他の実施の形態の例を図６〜９を参照して説明する。図１〜５例では、弾性体８を外靴１の２重底の上面１ｂ-1と底面１ｂ-2の間に設けた構成で示したが、図６〜９例は外靴１を1つの底面とし、インナーシューズ２の底面と外靴１の底面の間に弾性体８を設け、また外靴１の甲部１ａに足首を締めて固定することができる緊締手段を設けたものである。
以下、この図６〜９例を説明するに図１〜５に対応する部分には同一の符号を付し、その説明を省略する。
【００２４】
図６，図７において、インナーシューズ２は、図９に示すように、このインナーシューズ２の底部２ｂの内皮２ｂ-1と外皮２ｂ-2の間には底部の領域２ｅを設け、この領域２ｅの内側に底部の外皮２ｂ-2が円柱状に突出させられるように空間２ｃが設けられ、他は図１〜５例と同様に形成されている。
【００２５】
図６，図７において、外靴１は、図８に示すように、外靴１の底１ｂの踵部１ｃに孔１ｈが穿孔され、ヒール・グリップ１ｄから底１ｂにかけての踵の領域１ｅにはプリーツを設け上下方向に伸縮できるようにし、他は図１〜５例と同様に構成されている。
この外靴１の甲部１ａの外面にはベルクロファスナー７を設ける。
【００２６】
ベルクロファスナー７は、図６に示すように、外靴１の甲部１ａの外面に設けられ足を固定・締め込むための部品であり、代わりに靴紐やスキー靴に使用するようなワンタッチ式の固定具でもよい。
また、外靴１の底１ｂの孔１ｈには、図７に示すように、弾性体８を固定する。
【００２７】
弾性体８は、図７に示すように、圧縮コイルばね８ａ、固定部品８ｂ、カバー部品８ｃとから構成される。圧縮コイルばね８ａが固定部品８ｂに組み込まれてからカバー部品８ｃが被せられて、カバー部品８ｃが上下動自在としている。このようにして、インナーシューズ２の底面２ｂ-2に設けた弾性体８の収納領域である空間２ｃの壁が弾性体に食い込まないで、踵がこの弾性体８によって上下動できるようにしている
【００２８】
図７において、９は中敷を示し、この中敷９はプラスチックなどある程度の柔軟性と足踏み運動でも弾性体の局所的な当たりが足の裏に直接反映しないような硬さをもち、形状が靴底と略相似形状でインナーシューズ２の中に入るような大きさのものである。
【００２９】
この中敷９は、図７に示すように、弾性体８を組み込んだ外靴１にインナーシューズ２を装着してから、このインナーシューズ２の底面２ｂの内皮２ｂ-1に配設される。
【００３０】
図７を参照して、呼気でインナーシューズ２を膨らませて使用する例を説明する。
先ず、流体導入部品６としてたけのこ形状の配管継手をバルブ５に接続し、給気用のゴムなどのチューブの一端をたけのこ形状の配管継手に捻じ込んでおく。そして、ベルクロファスナー７を全て緩め、バルブ５を全開とする。
【００３１】
次に、足爪などで直接インナーシューズ２の甲部の内皮２ａ-1を傷つけないように靴下１１を履いた足１０をインナーシューズ２に入れる。そして、足１０の踵を浮かせ（弾性体を押し下げないようにして）インナーシューズ２の底部の領域２ｅの内容積が大きくなるようにした状態で、呼気をゴムチューブに入れてインナーシューズ２を外靴１と足１０を適度に圧迫するまで膨らませる。
【００３２】
次に、バルブ５を閉じて、足首側の一番上のベルクロファスナー７を軽く締め込み、それからほかのベルクロファスナー７を締める。
【００３３】
それから、この踵が上がっているときにタンク４が少し膨れていて、足１０の踵が下がっているときにタンク４がさらに膨れるようにしてインナーシューズ２の空気圧を調整する。
インナーシューズ２の内皮２ａ-1、２ｂ-1、２ｄ-1による足１０への圧迫感が大きいときは、ベルクロファスナー７を緩めるか、バルブ５を僅か開けてインナーシューズ２の空気を抜いて圧力を微調整する。
また、ベルクロファスナー７を締めてもインナーシューズ２の内皮２ａ-1、２ｂ-1、２ｄ-1による足１０への圧迫感が乏しいときは、足１０を入れる前にインナーシューズ２へ呼気を注入しておくことで、上述のような装着状態で必要十分な圧迫感を得ることができる。
【００３４】
このように組み込んだ健康シューズでは、足１０を踏み下げると、インナーシューズ２の底部の領域２ｅの容積が減り、ここから押し出された空気によって、インナーシューズ２の甲部２ａとヒール・グリップ２ｄの部分での膨れと、タンク４の膨れと、気体圧力の上昇を生じる。そして、足首から下の足１０全体を圧迫するとともに血液が足から押し出される。
【００３５】
また、足１０の踏み下げ動作を止めると、弾性体８は中敷を押し上げ（足も）元の位置に戻る。このときインナーシューズ２の底部の領域２ｅの容積が増えるため、ここに空気が流入して、インナーシューズ２の甲部２ａ、ヒール・グリップ２ｄの部分とタンク４の膨らみの減少と、封入された空気の圧力が減少する。そして、足首付近から下の足１０全体への圧力が低減し、圧迫から開放されると共に血液が流入する。
【００３６】
また、空気ポンプなどが用意できれば、呼気よりも空気注入圧を大きくできるので、インナーシューズ２の圧力調整はより簡便となる。この場合も、ほぼ上述例と同様に実施できるものである。
【００３７】
本図６〜９例の健康シューズによれば、注入された流体は漏れることなくインナーシューズ２に封入され、このインナーシューズ２は、足首付近から下の足１０と外靴１の間に配設される。そして、踏み込み動作でインナーシューズ２の底部の領域２ｅでの流体の容積を減少させると、流体は気密封入されているので、インナーシューズ２の底部の領域２ｅの流体がインナーシューズ２の上部に回り込み、足首付近までの足全体を圧迫する。そして、踏み込みを止めて元に戻すと、インナーシューズ２の底部の領域２ｅの容積が増えてインナーシューズ２の上部から流体が戻り、足全体を流体の圧迫から開放する。
【００３８】
また、ベルクロファスナー７を緩めることで、足１０とインナーシューズ２に空気を入れたままにして抜き差し（履いたり脱いだり）できるので準備に時間がかからない。
さらに、足首付近から下の足１０全体への圧力のかかり具合をベルクロファスナー７でも調整できるので、大き目の靴であれば同じ靴で足１０の大小、甲の高さや幅などの個人差に対してもある程度対応可能となる。
そして、インナーシューズ２を膨らませることがポンプなどを使用するだけでなく呼気によっても可能なので付属品が少なくでき、外出先など時と場所を選ばず足踏み運動で疲労回復とリフレッシュができる。
【００３９】
本図６〜９例においても、上述の図１〜５例と同様の作用効果が得られることは容易に理解できよう。
【００４０】
なお、本発明は上述の実施の形態の例に限定されるものではなく、流体に空気だけでなく他の気体でも良いことは勿論であり、流体が水、油等の非圧縮性流体でも液量を適正にすることで足全体に同様に押圧することができるものである。
【００４１】
また、本発明は、上述例に限ることなく本発明の要旨を逸脱しない範囲で種々変更できるものである。
【図面の簡単な説明】
【００４２】
【図１】本発明の健康シューズの実施の形態の例の外観を示す斜視図である。
【図２】図１例の構造を示す断面図である。
【図３】図１例の外靴の構造を示す断面図である。
【図４】図１例のインナーシューズの構造を示す断面図である。
【図５】図１例で足を踏み込んだ状態を示す断面図である。
【図６】本発明の他の実施の形態の例の外観を示す斜視図である。
【図７】図６例の構造を示す断面図である。
【図８】図６例の外靴の構造を示す断面図である。
【図９】図６例のインナーシューズの構造を示す断面図である。
【符号の説明】
【００４３】
１・・・・外靴、１ａ，２ａ・・・・甲部、１ｂ・・・・底、１ｃ・・・・踵部、１ｄ，２ｄ・・・・ヒール・グリップ、１ｆ，２ｆ・・・・連通孔、１ｇ，２ｅ・・・・底部の領域、２・・・・インナーシューズ、２ｂ・・・・底部、３・・・・流路、４・・・・タンク、５・・・・バルブ、７・・・・ベルクロファスナー、８・・・・弾性体、９・・・・中敷、１０・・・・足、１１・・・・靴下
【図１】
2005058615.tif 000003
【図２】
2005058615.tif 000004
【図３】
2005058615.tif 000005
【図４】
2005058615.tif 000006
【図５】
2005058615.tif 000007
【図６】
2005058615.tif 000008
【図７】
2005058615.tif 000009
【図８】
2005058615.tif 000010
【図９】
2005058615.tif 000011